(57)【要約】      （修正有）【課題】  利用者の歌唱する歌声を高感度に集音できるカラオケシステムを提供する。【解決手段】カラオケ音楽を再生する装置と、カラオケの歌詞テロップを表示するモニター画面と、自分の歌唱する声を集音するコンデンサー型マイクと、コンデンサー型マイクを駆動する電源と、カラオケ音楽と歌唱する声の音声信号を合成する装置と、合成された音声信号を増幅するヘッドホンアンプと、増幅された音声信号を聴くヘッドホンとを備える。【選択図】図１
0003176560.tif 000002
【実用新案登録請求の範囲】
【請求項１】
カラオケ音楽を再生する装置と、カラオケの歌詞テロップを表示するモニター画面と、自分の歌唱する声を集音するコンデンサー型マイクと、前記コンデンサー型マイクを駆動する電源と、前記カラオケ音楽と前記歌唱する声の音声信号を合成する装置と、前記の合成された音声信号を増幅するヘッドアンプと、前記の増幅された音声信号を聴くヘッドホンとを備えたカラオケシステム。
【請求項２】
少なくともカラオケ音楽を再生する装置とカラオケ音楽と歌唱する声の音声信号とを合成する装置との組合せから成る請求項１記載のカラオケシステム。
【請求項３】
少なくともコンデンサー型マイクを駆動する電源と、カラオケ音楽と歌唱する声の音声信号を合成する装置との組合せから成る請求項１記載のカラオケシステム。
【請求項４】
請求項１乃至請求項３記載のカラオケシステムを用いたカラオケ個室。
【考案の詳細な説明】
【技術分野】
【０００１】  本考案は、カラオケを一人で楽しむ娯楽室に関するものである。
【背景技術】
【０００２】  今やカラオケは老若男女で楽しむ娯楽のひとつである。本考案の出願人も実用新案登録第３１２５５８４号を申請している。要するに今までは複数人、あるいはパーティーなどの多数でカラオケを楽しむ利用から、一人でカラオケを楽しんだり、またカラオケの練習として利用できるものへと変化していることを受けて、出願されたものである。【０００３】
【先行技術文献】
【特許文献】
【０００４】
【特許文献１】実用新案登録第３１３９７４５号公報
【特許文献２】特開平５−２１６４８６号公報
【考案の概要】
【考案が解決しようとする課題】
【０００５】  カラオケを１人で楽しむ個室環境は、特許文献にも挙げられるように今日までにも色々な事例がある。要するに、個室でカラオケを楽しむ為に最低限必要とする設備には、カラオケ再生装置（コマンダー）と、カラオケの音楽を聴くヘッドホンと歌詞テロップを表示するモニター画面と、歌いたい曲を選曲するリモコンと、自分の声を集音するマイクと、個室そのものでカラオケ個室の環境が整う。【０００６】  カラオケ個室であるが故に、外部への音の漏れや、個人ひとりがカラオケを楽しむだけで済むことから、カラオケ音楽と自分の肉声をミックスした音は、ヘッドホンで聴くことが一般的で、このようなカラオケ個室に人気がある。
また、カラオケ個室ならではの楽しみとして、歌唱する肉声をきれいに集音してくれるマイクと、クリアなー再生音楽を楽しめるヘッドホンの組合せも大変重要な要素として挙げられる。【０００７】  一般的にはカラオケ装置を使う楽しみは、複数人を収容する所謂カラオケボックスと呼ばれるレジャー施設で、大音響で皆してガヤガヤ楽しむことが知られている。その為、通常のカラオケ装置、即ちコマンダーに直接マイクを接続して、専用のアンプを経由してスピーカーからカラオケ再生音楽と、歌唱音声を適当に合成した再生音楽を出力してカラオケを楽しむ格好となる。【０００８】  そのような環境において、スピーカーから出力される音声を、歌唱の肉声を集音するマイクで拾うことによる、ハウリング現象の発生はどうしても回避することが難しく、カラオケボックスなどでは各々工夫を凝らしながら、如何にハウリング現象を起こすことなく、大音響で臨場感あふれたカラオケを楽しむかの工夫にも余念がない。【０００９】  その一つには、歌唱肉声を集音するマイクの特性で、ダイナミック型のマイクを使用することが考えられている。マイクの特性には大別してダイナミック型マイクと、コンデンサー型マイクとがある。ダイナミック型マイクは多少感度が鈍いことから、ハウリング現象を起こしにくいとされており、ライブ会場やカラオケボックスにて一般的に用いられているマイクでもある。【００１０】  また、他方のコンデンサー型マイクは、高感度であるが故に上述するハウリング現象を発生させやすく、スピーカからの音声を聞きながら歌唱するカラオケには不向きである。加えて、コンデンサー型マイクを駆動させるには、専用の電源（ファンタム電源）が必要となるが、一般的なカラオケシステム（コマンダー）にはコンデンサー型マイクの使用を前提としていないことから、マイクへの電源供給の仕組みはない。【００１１】  そのような背景からダイナミック型マイクは、いささか感度は低いものの、再生する環境がスピーカを経由することから、また大勢で楽しむことからそれほど気にはならないというのも現実である。加えて、ダイナミック型マイクは電源を必要としないことから、カラオケ装置（コマンダー）にも直接接続することができるので大変重宝なマイクでもある。【００１２】  しかしながら、個室で基本的には一人の利用者が独占してカラオケを楽しむのが一人用カラオケ個室であるので、利用者にとって少しでも満足のいく音質でカラオケ環境を実現することで、一人カラオケ用個室を最大限に楽しんでもらえるものであり、そのための策として歌唱音声を収録するマイクと、カラオケ再生音源と歌唱の肉声をクリアーに聴かせるシステム構成が最も的確な手法であると考案者は考えている。【００１３】  なお、特開２００４−１９８５０１号や実用新登録３０６７５２３号などにもヘッドホンを用いたカラオケシステムの技術が公開されているが、本考案の狙いであるコンデンサ型マイクロホンを使用した発想は開示されていない。
【課題を解決するための手段】
【００１４】  本考案は、上述する個室環境でのカラオケを満喫することを実現するために、コンデンサー型マイクを使用できる環境を整備し、いわゆるレコーディング時と同様の集音状況を構築することで、利用者にカラオケの醍醐味と満足を提供するヘッドホンで楽しむカラオケ個室を実現することにある。【００１５】  従って、上述の課題を解決するため請求項１には、カラオケ音楽を再生する装置と、カラオケの歌詞テロップを表示するモニター画面と、自分の歌唱する声を集音するコンデンサー型マイクと、前記コンデンサー型マイクを駆動する電源と、前記カラオケ音楽と前記歌唱する声の音声信号を合成する装置と、前記の合成された音声信号を増幅するヘッドアンプと、前記の増幅された音声信号を聴くヘッドホンとを備えたカラオケシステムを特徴とするものである。【００１６】  また、請求項２では、少なくともカラオケ音楽を再生する装置とカラオケ音楽と歌唱する声の音声信号とを合成する装置との組合せから成ることを特徴とする。【００１７】  そして、請求項３では、少なくともコンデンサー型マイクを駆動する電源と、カラオケ音楽と歌唱する声の音声信号を合成する装置との組合せから成ることを特徴とする。【００１８】  また、前記請求項１乃至請求項３のカラオケシステムを用いたカラオケ個室も特徴とする。【００１９】  要するに、通常使われているカラオケ装置即ち、コマンダーはダイナミック型マイクを想定していることからフォノ端子である標準プラグによるマイク接続を標準として装備しており、コンデンサー型マイクに必要な電源供給機能を有していないことから、本考案では上記コマンダーに装備されるマイク入力とは別に例えばミキサーを接続して、カラオケの音源再生と利用者の歌唱をミキサーで合成しカラオケを楽しむ上で、少なくともミキサーのファンタム電源を利用してコンデンサー型マイクが駆動できることにより、高感度でクリアーな歌唱する歌声をマイクから集音できるようにすることである。またこのカラオケシステムを用いたカラオケ個室としての利用もできる。
【図面の簡単な説明】
【００２０】
【図１】  本考案の再生システムの一例を示すイメージ図である。
【考案を実施するための形態】
【００２１】  本考案の実施形態を図面に基づいて説明する。
【実施例】
【００２２】  本考案の概念は、大人ひとりが入室でき、カラオケを楽しむのに最低限のシステムとして、カラオケ音源を選曲し再生する装置（１）と、カラオケの音楽を聴くヘッドホン（４）を駆動するヘッドホンアンプ（７）と歌詞テロップを表示するモニター画面（２）と、自分の声を集音するコンデンサー型マイク（３）と、カラオケの再生音源とコンデンサー型マイク（３）で集音した歌唱する音声信号とを合成するミキサー（８）、これらを格納する個室（５）、そのものでカラオケ個室の環境が整っている。【００２３】  さて、本考案の特徴としては、図１の再生システム一例を示すイメージ図のように、カラオケを再生する例えばコマンダー（１）から、カラオケの再生音源をミキサー（６）に接続し、更には歌唱する歌声を集音するコンデンサー型マイク（３）からの音声信号を一例としてミキサー（６）を用いてカラオケ再生音楽と歌唱する音声信号を合成するものである。【００２４】  すなわち、このミキサー（６）でカラオケ音源と歌唱する歌声とが適切なバランスで音声合成され、利用者のヘッドホン（４）にはヘッドホンアンプ（７）を経由して再生される音を楽しむことになる。【００２５】  このシステムでは、ミキサー（６）を経由してカラオケ音源と歌唱する歌声とを合成することにより、ミキサー（６）に装備されるコンデンサー型マイク（３）を駆動する電源（ファンタム電源）を作動させることで、コンデンサー型マイク（３）の使用も可能となり、別途コンデンサー型マイク用（３）電源を用意することなく、精細な歌声も高感度に集音することができるようになる。【００２６】  なお、本考案ではミキサー（７）を接続することによりコンデンサー型マイクの使用を可能としているが、コンデンサー型マイク（３）が使えるようにするためには、ミキサー（７）以外の外部電源供給装置を使用したり、またマイクそのものに電池を搭載したコンデンサー型マイクを使うことでも、同様の効果を得ることもできる。
【符号の説明】
【００２７】  １・・・カラオケ装置（コマンダー）
２・・・モニター画面
３・・・コンデンサー型マイク
４・・・ヘッドホン
５・・・カラオケ個室
６・・・ミキサー
７・・・ヘッドホンアンプ
【図１】
0003176560.tif 000003
【手続補正書】
【提出日】平成24年4月13日(2012.4.13)
【手続補正１】
【補正対象書類名】実用新案登録請求の範囲
【補正対象項目名】全文
【補正方法】変更
【補正の内容】
【実用新案登録請求の範囲】
【請求項１】
カラオケ音楽を再生する装置と、カラオケの歌詞テロップを表示するモニター画面と、自分の歌唱する声を集音するコンデンサー型マイクと、前記コンデンサー型マイクを駆動する電源供給装置と、前記カラオケ音楽と前記歌唱する声の音声信号を合成する装置と、前記の合成された音声信号を増幅するヘッドホンアンプと、前記の増幅された音声信号を聴くヘッドホンとを備えたカラオケシステム。
【請求項２】
前記カラオケ音楽を再生する装置と前記カラオケ音楽と歌唱する声の音声信号とを合成する装置とを一体に構成してなることを特徴とする前記請求項１記載のカラオケシステム。
【請求項３】
前記コンデンサー型マイクを駆動する電源供給装置と、前記カラオケ音楽と歌唱する声の音声信号を合成する装置を一体に構成してなることを特徴とする前記請求項１乃至２記載のカラオケシステム。
【請求項４】
前記請求項１乃至請求項３の何れか一項に記載のカラオケシステムを用いたカラオケ個室。
【手続補正２】
【補正対象書類名】明細書
【補正対象項目名】００１５
【補正方法】変更
【補正の内容】
【００１５】
請求項１記載のカラオケ音楽を再生する装置と、カラオケの歌詞テロップを表示するモニター画面と、自分の歌唱する声を集音するコンデンサー型マイクと、前記コンデンサー型マイクを駆動する電源供給装置と、前記カラオケ音楽と前記歌唱する声の音声信号を合成する装置と、前記の合成された音声信号を増幅するヘッドホンアンプと、前記の増幅された音声信号を聴くヘッドホンとを備えたカラオケシステムは、ハウリングの懸念無く高感度なコンデンサー型マイクにより集音された歌唱音声によるカラオケを実現するものである。
【手続補正３】
【補正対象書類名】明細書
【補正対象項目名】００１６
【補正方法】変更
【補正の内容】
【００１６】
また、請求項２記載のカラオケシステムは、請求項１記載のカラオケシステムにおいて、前記カラオケ音楽を再生する装置と前記カラオケ音楽と歌唱する声の音声信号とを合成する装置とを一体に構成してなることを特徴とする。
【手続補正４】
【補正対象書類名】明細書
【補正対象項目名】００１７
【補正方法】変更
【補正の内容】
【００１７】
そして、請求項３記載のカラオケシステムは、請求項１乃至請求項２記載のカラオケシステムにおいて、前記コンデンサー型マイクを駆動する電源供給装置と、前記カラオケ音楽と歌唱する声の音声信号を合成する装置を一体に構成してなることを特徴とする。
【手続補正５】
【補正対象書類名】明細書
【補正対象項目名】００１８
【補正方法】変更
【補正の内容】
【００１８】
また、請求項４記載のカラオケ個室は、請求項１乃至請求項３の何れか一項に記載のカラオケシステムを用いたことを特徴とする。